(57)【要約】  鋼板を積層して円柱状に形成され、外縁部に環状に所定間隔で配置された複数の長方形の磁石埋込孔１ｂを有する回転子鉄心１と、カシメ部２ｆが設けられた横枠２ａ、一端部が前記横枠２ａの両端部に接続し内幅Ｈｃが矩形板状の永久磁石３の横幅Ｈｄと同一で外幅Ｈｇが前記磁石埋込孔１ｂの周方向幅Ｈａと同一となるように平行に配置された２本の縦枠２ｂ及び該２本の縦枠２ｂの他端部に接続される頭部枠２ｃ、を有し、前記２本の縦枠間２ｂに前記永久磁石３を保持した状態で前記磁石埋込孔１ｂに埋込まれ、前記横枠２ａのカシメ部２ｆがカシメられて前記回転子鉄心１に固定されると共に前記回転子鉄心１を一体化する磁石保持枠２と、を備える。
2013108355.tif 000002
【特許請求の範囲】
【請求項１】
鋼板を積層して円柱状に形成され、外縁部に環状に所定間隔で配置された複数の長方形の磁石埋込孔を有する回転子鉄心と、
カシメ部が設けられた横枠、一端部が前記横枠の両端部に接続し内幅が矩形板状の永久磁石の横幅と同一で外幅が前記磁石埋込孔の周方向幅と同一となるように平行に配置された２本の縦枠及び該２本の縦枠の他端部に接続される頭部枠、を有し、前記２本の縦枠間に前記永久磁石を保持した状態で前記磁石埋込孔に埋込まれ、前記横枠のカシメ部がカシメられて前記回転子鉄心に固定されると共に前記回転子鉄心を一体化する磁石保持枠と、
を備えることを特徴とする磁石埋込型回転子。
【請求項２】
前記磁石保持枠の縦枠は、前記永久磁石が外れないように保持する保持部を有することを特徴とする請求項１に記載の磁石埋込型回転子。
【請求項３】
前記磁石保持枠と永久磁石とは、接着剤により接着されていることを特徴とする請求項１に記載の磁石埋込型回転子。
【請求項４】
前記磁石保持枠の頭部枠及び横枠を削ることにより、バランス調整を行なうことを特徴とする請求項１に記載の磁石埋込型回転子。
【発明の詳細な説明】
【技術分野】
【０００１】
本発明は、回転子鉄心に永久磁石を埋め込んだ磁石埋込型回転子に関する。
【背景技術】
【０００２】
従来、鉄心の両端面に端板を配置し、これら端板及び鉄心に複数のリベットを貫通させて固定する電動圧縮機の回転子において、少なくとも一つのリベットの頭部またはカシメ部を他のリベットより大きく形成し、大きく形成したリベットの頭部またはカシメ部にバランス均整重量を生じさせ、電動圧縮機の回転アンバランスを打ち消すバランスウエイトとして機能させる電動圧縮機の回転子が開示されている（例えば、特許文献１参照）。【０００３】
また、固定子と回転子を備え、回転子は軸方向に複数の電磁鋼板を積層して構成された積層鉄心であって、前記積層鉄心の軸日横行には回転子軸孔が設けられ、前記回転子軸孔と直交する径方向に永久磁石を収容する複数の磁石収容孔と、カシメピンを挿通する複数のカシメピン孔を設け、前記積層鉄心の両端部には磁石収容孔から永久磁石が飛び出さないようにするための端板が取り付けられ、前記カシメピンにより一体固着した回転子であって、前記回転子の複数のカシメピンの比重を、少なくとも１本異ならせ、回転子の微小のバランス量を調整するようにした永久磁石回転機の回転子が開示されている（例えば、特許文献２参照）。【０００４】
さらに、界磁鉄心を構成する積層打抜鋼板に多角形のリベット挿入孔を形成し、このリベット挿入孔内に同じ多角形のリベットを挿入し、このリベットによって積層打抜鋼板を固定し、ねじれが生じないようにした界磁鉄心が開示されている（例えば、特許文献３参照）。
【先行技術文献】
【特許文献】
【０００５】
【特許文献１】特開平４−１２１０４４号公報
【特許文献２】特開２００９−２１９３０９号公報
【特許文献３】実開昭６１−６２５３８号公報
【発明の概要】
【発明が解決しようとする課題】
【０００６】
しかしながら、上記特許文献１及び２に開示された従来の技術によれば、永久磁石の飛散防止のために端板を設ける必要があり、また、２種類以上のリベットピンを用いるので、部品点数が増加する、という問題がある。【０００７】
また、上記特許文献３に開示された従来の技術によれば、丸棒状のリベットピンを用いるよりもリベット挿入孔の数が多くなるので、磁石埋込型回転子に適用する場合、磁石埋込孔の配置位置に制約が生じる、という問題がある。【０００８】
本発明は、上記に鑑みてなされたものであって、端板等の部品点数を削減し、磁石埋込孔の配置位置の設計自由度を向上させた磁石埋込型回転子を得ることを目的とする。
【課題を解決するための手段】
【０００９】
上述した課題を解決し、目的を達成するために、本発明は、鋼板を積層して円柱状に形成され、外縁部に環状に所定間隔で配置された複数の長方形の磁石埋込孔を有する回転子鉄心と、カシメ部が設けられた横枠、一端部が前記横枠の両端部に接続し内幅が矩形板状の永久磁石の横幅と同一で外幅が前記磁石埋込孔の周方向幅と同一となるように平行に配置された２本の縦枠及び該２本の縦枠の他端部に接続される頭部枠、を有し、前記２本の縦枠間に前記永久磁石を保持した状態で前記磁石埋込孔に埋込まれ、前記横枠のカシメ部がカシメられて前記回転子鉄心に固定されると共に前記回転子鉄心を一体化する磁石保持枠と、を備えることを特徴とする。
【発明の効果】
【００１０】
本発明にかかる磁石埋込型回転子は、端板等の部品点数を削減し、磁石埋込孔の配置位置の設計自由度を向上させた磁石埋込型回転子が得られる、という効果を奏する。
【図面の簡単な説明】
【００１１】
【図１】図１は、本発明に係る磁石埋込型回転子の実施の形態を示す縦断面図である。
【図２】図２は、図１のＡ−Ａ線に沿う断面図である。
【図３】図３は、永久磁石を装着途中の実施の形態の磁石保持枠を示す斜視図である。
【図４】図４は、実施の形態の永久磁石を示す斜視図である。
【図５】図５は、永久磁石を装着した実施の形態の磁石保持枠を示す斜視図である。
【発明を実施するための形態】
【００１２】
以下に、本発明にかかる磁石埋込型回転子の実施の形態を図面に基づいて詳細に説明する。なお、この実施の形態によりこの発明が限定されるものではない。
【００１３】
実施の形態
図１は、本発明に係る磁石埋込型回転子の実施の形態を示す縦断面図であり、図２は、図１のＡ−Ａ線に沿う断面図であり、図３は、永久磁石を装着途中の実施の形態の磁石保持枠を示す斜視図であり、図４は、実施の形態の永久磁石を示す斜視図であり、図５は、永久磁石を装着した実施の形態の磁石保持枠を示す斜視図である。
【００１４】
図１及び図２に示すように、実施の形態の磁石埋込型回転子１０の回転子鉄心１は、薄い珪素鋼板（磁性体）を多数積層して円柱状に形成されている。回転子鉄心１の中心に形成された軸孔１ａには、図示しないシャフトが圧入され固定される。
【００１５】
回転子鉄心１の外縁部には、周方向幅Ｈａ、径方向幅Ｈｂの長方形の、複数（８個）の磁石埋込孔１ｂが、環状に所定間隔で配置されている。回転子鉄心１の磁石埋込孔１ｂの外周側には、磁極部１ｃが形成されている。
【００１６】
図１〜図５に示すように、実施の形態の磁石保持枠２は、カシメ部２ｆが設けられた横枠２ａと、保持部２ｇが設けられた２本の平行な縦枠２ｂと、頭部枠２ｃと、を有し、夫々の端部同士が接続されて長方形に形成されている。
【００１７】
磁石保持枠２の内幅Ｈｃは、矩形板状の永久磁石３の横幅Ｈｄと同一であり、２本の縦枠２ｂの保持部２ｇ先端間の幅Ｈｆ（図２参照）は、永久磁石３の横幅Ｈｄよりも小さくなっていて、永久磁石３は、磁石保持枠２の縦枠２ｂ間に挿入され、縦枠２ｂ及び保持部２ｇにより側端部を支持されて、磁石保持枠２内に保持される。実施の形態では、磁石保持枠２の内側高さＨｋは、永久磁石３の高さＨｅの７倍となっていて、７枚の永久磁石３が磁石保持枠２内に隙間なく嵌め込まれる。永久磁石３と磁石保持枠２とを、接着剤により接着することが望ましい。
【００１８】
磁石保持枠２の外幅Ｈｇは、回転子鉄心１の磁石埋込孔１ｂの周方向幅Ｈａと同一であり、永久磁石の厚さ及び磁石保持枠２の厚さＨｊは、磁石埋込孔１ｂの径方向幅Ｈｂと同一となっている。磁石保持枠２の高さＨｍは、回転子鉄心１の高さＨｎよりも大きくなっている。また、頭部枠２ｃの横幅Ｈｐは、磁石保持枠２の外幅Ｈｇよりも大きく、頭部枠２ｃの厚さＨｑは、永久磁石の厚さ及び磁石保持枠２の厚さＨｊよりも大きくなっている。
【００１９】
７枚の永久磁石３を枠内に保持した磁石保持枠２を、横枠２ａ側から回転子鉄心１の磁石埋込孔１ｂ内に挿入して埋め込み、頭部枠２ｃを回転子鉄心１の一端に当接させ、回転子鉄心１の他端から突出した横枠２ａのカシメ部２ｆをカシメれば、珪素鋼板を多数積層して形成された回転子鉄心１が一体に締結されると共に、永久磁石３が磁石埋込孔１ｂ内に固定され、図１に示すような、実施の形態の磁石埋込型回転子１０が完成する。
【００２０】
以上説明したように、実施の形態の磁石埋込型回転子１０は、従来のリベットピンの役割をする磁石保持枠２が、磁石埋込孔１ｂに挿入されるので、リベットピン用の挿入孔を必要としない。また、永久磁石３の埋め込み工程とリベットピンの挿入工程を、１工程で行なうことができ、組立工数を削減することができる。また、リベットピン用の挿入孔を回転子鉄心１に配置する必要がないので、磁石埋込孔１ｂの配置位置に制約がなくなり、設計の自由度が向上する。
【００２１】
また、磁石保持枠２の横枠２ａ及び頭部枠２ｃが、永久磁石３の軸方向の動きを拘束するので、永久磁石３の抜け止めのための、従来の端板を必要としない。また、従来、端板をドリルで削ることにより行っていた回転子のバランス調整は、横枠２ａ及び頭部枠２ｃをドリルで削ることにより行なうことができる。
【００２２】
また、磁石保持枠２は、縦枠２ｂ及び保持部２ｇにより永久磁石３の側端部のみを支持する構造であり、永久磁石３の表裏の面を支持する壁などを有していないので、永久磁石３を、磁石保持枠２に表裏両側から挿入することができる。また、磁石保持枠２は、永久磁石３の表裏の面を支持する壁などを有していないので、渦電流による損失の発生を防ぐことができる。
【符号の説明】
【００２３】
１  回転子鉄心
１ａ  軸孔
１ｂ  磁石埋込孔
１ｃ  磁極部
２  磁石保持枠
２ａ  横枠
２ｂ  縦枠
２ｃ  頭部枠
２ｆ  カシメ部
２ｇ  保持部
３  永久磁石
１０ 磁石埋込型回転子
【図１】
2013108355.tif 000003
【図２】
2013108355.tif 000004
【図３】
2013108355.tif 000005
【図４】
2013108355.tif 000006
【図５】
2013108355.tif 000007
【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
鋼板を積層して円柱状に形成され、外縁部に環状に所定間隔で配置された複数の長方形の磁石埋込孔を有する回転子鉄心と、
カシメ部が設けられた横枠、一端部が前記横枠の両端部に接続し内幅が矩形板状の永久磁石の横幅と同一で外幅が前記磁石埋込孔の周方向幅と同一となるように平行に配置された２本の縦枠、及び、該２本の縦枠の他端部に接続され横幅及び厚さが前記磁石埋込孔の周方向幅及び径方向幅よりも大きい頭部枠、を有し、前記２本の縦枠間に前記永久磁石を保持した状態で前記磁石埋込孔に埋込まれ、前記回転子鉄心の他端から突出した前記横枠のカシメ部がカシメられて前記回転子鉄心に固定されると共に前記回転子鉄心の各積層鋼板を一体化する磁石保持枠と、
を備えることを特徴とする磁石埋込型回転子。
【請求項２】
前記磁石保持枠の縦枠は、前記永久磁石が外れないように保持する保持部を有することを特徴とする請求項１に記載の磁石埋込型回転子。
【請求項３】
前記磁石保持枠と永久磁石とは、接着剤により接着されていることを特徴とする請求項１に記載の磁石埋込型回転子。
【請求項４】
前記磁石保持枠の頭部枠及び横枠を削ることにより、バランス調整を行なうことを特徴とする請求項１に記載の磁石埋込型回転子。
【手続補正２】
【補正対象書類名】明細書
【補正対象項目名】０００９
【補正方法】変更
【補正の内容】
【０００９】
上述した課題を解決し、目的を達成するために、本発明は、鋼板を積層して円柱状に形成され、外縁部に環状に所定間隔で配置された複数の長方形の磁石埋込孔を有する回転子鉄心と、カシメ部が設けられた横枠、一端部が前記横枠の両端部に接続し内幅が矩形板状の永久磁石の横幅と同一で外幅が前記磁石埋込孔の周方向幅と同一となるように平行に配置された２本の縦枠、及び、該２本の縦枠の他端部に接続され横幅及び厚さが前記磁石埋込孔の周方向幅及び径方向幅よりも大きい頭部枠、を有し、前記２本の縦枠間に前記永久磁石を保持した状態で前記磁石埋込孔に埋込まれ、前記回転子鉄心の他端から突出した前記横枠のカシメ部がカシメられて前記回転子鉄心に固定されると共に前記回転子鉄心の各積層鋼板を一体化する磁石保持枠と、を備えることを特徴とする。
【国際調査報告】
2013108355.tif 000008
2013108355.tif 000009
2013108355.tif 000010
2013108355.tif 000011